(57)【特許請求の範囲】
【請求項１】
監視対象者が所持し監視対象者の位置をセンタ装置に通報する携帯端末であって、
監視対象者の行動範囲である登録ルートを記憶する記憶部と、
監視対象者が操作する操作部と、
現在位置情報を取得する位置取得部と、
前記位置取得部により取得された前記現在位置情報が示す現在位置が前記登録ルート上にあるかを判定するルート判定部と、
前記現在位置情報を前記センタ装置に通報する通信部と、
所定時間を計時する計時部と、
前記操作部が前記所定時間以上操作されない場合に、第１の時間間隔で前記現在位置情報を前記センタ装置に通報する第１通報処理を実行するように前記通信部に指示する異常処理部とを備え、
前記異常処理部は、前記第１通報処理の実行中に取得した前記現在位置が前記登録ルート上にないと前記ルート判定部が判定した場合には、前記第１通報処理を終了し前記第１の時間間隔より短い第２の時間間隔で前記現在位置情報を前記センタ装置に通報する第２通報処理を実行するように前記通信部に指示することを特徴とする携帯端末。
【請求項２】
前記通信部は、前記センタ装置から安全確認通知を受信し、
前記異常処理部は、前記安全確認通知を受信してから前記操作部が前記所定時間以上操作されない場合に前記第１の時間間隔で前記現在位置情報を前記センタ装置に通報するように前記通信部に指示する請求項１に記載の携帯端末。
【請求項３】
前記異常処理部は、前記第１の時間間隔で前記現在位置情報を前記通信部に通報させたときに、予め設定された特定の操作入力が前記操作部から入力されると、前記通信部による前記第１の時間間隔での前記現在位置情報の通報を終了させる請求項１または２に記載の携帯端末。
【請求項４】
前記異常処理部は、前記通信部によって前記第２の時間間隔で前記現在位置情報を前記センタ装置に通報させている場合は、前記通信部によって前記第１の時間間隔で前記現在位置情報を前記センタ装置に通報させる処理を禁止する請求項１から３の何れか一つに記載の携帯端末。
【請求項５】
監視対象者が所持する携帯端末と、前記携帯端末と通信するセンタ装置を備え、監視対象者の位置を前記センタ装置にて確認する監視システムであって、
前記携帯端末は、
前記監視対象者が操作する操作部と、
現在位置情報を取得する位置取得部と、
前記現在位置情報を前記センタ装置に通報する通信部と、
所定時間を計時する計時部と、
前記操作部が前記所定時間以上操作されない場合に無応答異常と判定し、前記無応答異常と前記現在位置情報を前記センタ装置に通報するように前記通信部に指示する異常処理部とを備え、
前記センタ装置は、
前記監視対象者の行動範囲である登録ルートを記憶する記憶部と、
前記携帯端末により取得された前記現在位置情報が示す現在位置が前記登録ルート上にあるかを判定するルート判定部と、
前記携帯端末に前記現在位置情報の送信を要求する位置要求部と、
前記無応答異常の通報を受信すると前記携帯端末に対して第１の時間間隔で前記現在位置情報を要求するように前記位置要求部に指示し、前記携帯端末により取得された前記現在位置情報が示す現在位置が前記登録ルート上にないと前記ルート判定部が判定した場合には前記携帯端末に対して前記第１の時間間隔より短い第２の時間間隔で前記現在位置情報を要求するように前記位置要求部に指示する追跡処理部とを備えることを特徴とする監視システム。
【請求項６】
監視対象者の行動範囲である登録ルートを記憶する記憶部と、監視対象者が操作する操作部と、現在位置情報を取得する位置取得部と、前記現在位置情報をセンタ装置に通報する通信部とを有し、監視対象者が所持して監視対象者の位置を前記センタ装置に通報する携帯端末に読み込まれる携帯端末用プログラムであって、
前記携帯端末の少なくとも一部を構成するコンピュータを、
前記位置取得部により取得された前記現在位置情報が示す現在位置が前記登録ルート上にあるかを判定するルート判定部と、
所定時間を計時する計時部と、
前記操作部が前記所定時間以上操作されない場合に、第１の時間間隔で前記現在位置情報を前記センタ装置に通報する第１通報処理を実行するように前記通信部に指示し、前記第１通報処理の実行中に取得した前記現在位置が前記登録ルート上にないと前記ルート判定部が判定した場合には、前記第１通報処理を終了し前記第１の時間間隔より短い第２の時間間隔で前記現在位置情報を前記センタ装置に通報する第２通報処理を実行するように前記通信部に指示する異常処理部として機能させることを特徴とする携帯端末用プログラム。
【発明の詳細な説明】
【技術分野】
【０００１】
本発明は、監視対象者が所持し、監視センタに当該監視対象者の位置を安全確認等のために通報する携帯端末等に係り、特に監視対象者が置かれた状況に即した適切と考えられる頻度で当該監視対象者の現在位置情報を監視センタに通報することにより、携帯端末のバッテリを温存しつつ当該監視対象者の位置を適切に追跡することができる携帯端末等に関するものである。
【背景技術】
【０００２】
例えば機器メンテナンス、監視対象エリアにおける異常対処、さらに物品輸送等の作業を行う作業員は、作業中の安全確認のため、その動向を監視センタなどで把握できるようにしておくことが好ましい。そこで、このような業務上の要望乃至必要性に対応すべく、不審者による不当な干渉、事故や怪我、急病など、監視対象者に起こりうる非常事態を遠隔の監視センタから監視できるようにするため、携帯式の非常通報装置を用いた監視システムが広く知られている。
【０００３】
こうした監視システムの中には、特許文献１に示すように、非常通報スイッチを操作できない場合でも非常事態を通報可能とするために、所定時間、監視対象者の確認操作がない場合に非常通報するものが提案されている。すなわち、特許文献１に開示された発明は、移動者に発生した異常を遠隔の監視センタに通報する携帯端末に関するものであり、監視要請を開始するための操作手段と、監視要請を終了するための操作手段と、ＧＰＳ信号を受信して現在位置を算出する測位手段と、測位手段により測位した位置情報を記憶する記憶手段と、遠隔の監視センタに設置されたセンタ装置に無線で通報する通報手段と、上記各手段を制御する制御手段を備えている。そして制御手段は、計時手段を有しており、監視要請の開始操作により計時手段を起動し、所定時間以内に監視要請の終了操作がない場合に通報手段により記憶手段に記憶された位置情報を通報するように構成されている。このため、非常通報スイッチを操作できないときでも異常信号や位置情報を送信できるが、非常事態発生時以外には位置情報を送信することがない。
【０００４】
また、特許文献１の発明と同様、非常通報スイッチを操作できない場合でも非常事態を通報可能とするため、特許文献２に示すように、現在位置情報が予め設定されていた経路から離れたときに警報を発するものも提案されている。すなわち、特許文献２に開示された発明は、歩行者などの安全確認の対象者に所持させる携帯端末と、携帯端末から送信されてくる電波を受信し、その受信信号で現される情報に基づいて当該対象者の安否を確認する移動者安全確認装置とによって構成される。携帯端末には、ＧＰＳ端末などによる現在位置を検知する機能と、エスコート要請を入力するためのボタンと、現在位置およびエスコート要請を電波で送信する通信機能を設ける。移動者安全確認装置は、表示部に安全確認対象領域の地図を表示し、携帯端末からエスコート要請を受けると、対象者の予定移動経路を地図に重ねて表示し、現在位置を受信し、その現在位置を順次に地図に表示し、対象者の実際の移動経路を地図に重ねて表示する。そして、予定移動経路と現在位置との距離が所定値を越えたときには、経路逸脱と見なして、非常通報信号の受信を待つことなく、警報を発する。このため、歩行者などが、非常通報スイッチを操作できない程に急な非常事態に遭遇したとしても、移動者安全確認装置が警報を発することができる。
【先行技術文献】
【特許文献】
【０００５】
【特許文献１】特開２００５−４５７４３号公報
【特許文献２】特開２００１−７６２８９号公報
【発明の概要】
【発明が解決しようとする課題】
【０００６】
特許文献１、２に記載された従来の発明では、非常事態と判断された場合、遠隔の監視センタに設置されたセンタ装置に現在位置情報を携帯端末から送信することにより、センタ装置で監視対象者の状況を確認したり、あるいはセンタ装置から音声や画像を端末に送信して警告表示をさせることにより、現場に急行する警備員にとって監視対象者の状況が確認しやすくなるようにしている。
【０００７】
こうした非常事態下においては、少なくとも監視対象者の保護や救急といった対処が完了するまでは、その携帯端末を通信可能な状態に維持しておく必要がある。したがって、携帯端末のバッテリの残量を考慮すると、センタ装置との通信の頻度はできるだけ少ないほうが好ましく、携帯端末を所持している監視対象者の状況に応じた適切な程度に制限されるべきであると本願発明者等は考える。
【０００８】
すなわち、監視対象者の所在が予測可能であれば細密な時間間隔で現在位置を追跡する必要性は低いが、逆に以後の所在について予測が困難であれば細密な時間間隔で現在位置を追跡する必要がある。先に説明した特許文献１、２に記載の発明では、携帯端末を所持している監視対象者が非常事態下にあると判断した後に、できるだけ長い時間、携帯端末を通信可能な状態に維持するという課題についての認識がない。
【０００９】
本発明は、監視対象者が安全確認等のために所持し、当該監視対象者の位置を監視センタのセンタ装置に通報する携帯端末や、携帯端末とセンタ装置を有する監視システム等の技術分野において、従来は認識されていなかった新規な課題を提示するとともに、その解決策を提案するためになされたものであり、監視対象者の現状に対応した適切な時間間隔で当該監視対象者の現在位置情報をセンタ装置に通報することにより、携帯端末のバッテリを温存しつつ当該監視対象者の位置を適切に追跡できるようにすることを目的としている。
【課題を解決するための手段】
【００１０】
前述の課題を解決するため、本発明は、所定時間以内に携帯端末（例えばスマートフォン）の操作がないときには、監視対象者の位置情報を比較的長い追跡送信間隔でセンタ装置に送信させて位置の追跡を行わせ、また監視対象者が予定ルートを逸脱したときには、監視対象者の位置情報を比較的短い追跡送信間隔でセンタ装置に送信させて位置情報の追跡を行わせるようにした。
すなわち、前述した課題を解決するための手段を本願の特許請求の範囲の各請求項の記載に応じて説明すれば、下記の通りである。
【００１１】
請求項１に記載された携帯端末は、監視対象者が所持し監視対象者の位置をセンタ装置に通報する携帯端末であって、
監視対象者の行動範囲である登録ルートを記憶する記憶部と、
監視対象者が操作する操作部と、
現在位置情報を取得する位置取得部と、
前記位置取得部により取得された前記現在位置情報が示す現在位置が前記登録ルート上にあるかを判定するルート判定部と、
前記現在位置情報を前記センタ装置に通報する通信部と、
所定時間を計時する計時部と、
前記操作部が前記所定時間以上操作されない場合に、第１の時間間隔で前記現在位置情報を前記センタ装置に通報するように前記通信部に指示する異常処理部とを備え、
前記異常処理部は、前記第１通報処理の実行中に取得した前記現在位置が前記登録ルート上にないと前記ルート判定部が判定した場合には、前記第１通報処理を終了し前記第１の時間間隔より短い第２の時間間隔で前記現在位置情報を前記センタ装置に通報する第２通報処理を実行するように前記通信部に指示することを特徴としている。
【００１２】
請求項２に記載された携帯端末は、請求項１に記載の携帯端末において、
前記通信部は、前記センタ装置から安全確認通知を受信し、
前記異常処理部は、前記安全確認通知を受信してから前記操作部が前記所定時間以上操作されない場合に前記第１の時間間隔で前記現在位置情報を前記センタ装置に通報するように前記通信部に指示することを特徴としている。
【００１３】
請求項３に記載された携帯端末は、請求項１または２に記載の携帯端末において、
前記異常処理部は、前記第１の時間間隔で前記現在位置情報を前記通信部に通報させたときに、予め設定された特定の操作入力が前記操作部から入力されると、前記通信部による前記第１の時間間隔での前記現在位置情報の通報を終了させることを特徴としている。
【００１４】
請求項４に記載された携帯端末は、請求項１から３の何れか一つに記載の携帯端末において、
前記異常処理部は、前記通信部によって前記第２の時間間隔で前記現在位置情報を前記センタ装置に通報させている場合は、前記通信部によって前記第１の時間間隔で前記現在位置情報を前記センタ装置に通報させる処理を禁止することを特徴としている。
【００１５】
請求項５に記載された監視システムは、
監視対象者が所持する携帯端末と、前記携帯端末と通信するセンタ装置を備え、監視対象者の位置を前記センタ装置にて確認する監視システムであって、
前記携帯端末は、
前記監視対象者が操作する操作部と、
現在位置情報を取得する位置取得部と、
前記現在位置情報を前記センタ装置に通報する通信部と、
所定時間を計時する計時部と、
前記操作部が前記所定時間以上操作されない場合に無応答異常と判定し、前記無応答異常と前記現在位置情報を前記センタ装置に通報するように前記通信部に指示する異常処理部とを備え、
前記センタ装置は、
前記監視対象者の行動範囲である登録ルートを記憶する記憶部と、
前記携帯端末により取得された前記現在位置情報が示す現在位置が前記登録ルート上にあるかを判定するルート判定部と、
前記携帯端末に前記現在位置情報の送信を要求する位置要求部と、
前記無応答異常の通報を受信すると前記携帯端末に対して第１の時間間隔で前記現在位置情報を要求するように前記位置要求部に指示し、前記携帯端末により取得された前記現在位置情報が示す現在位置が前記登録ルート上にないと前記ルート判定部が判定した場合には前記携帯端末に対して前記第１の時間間隔より短い第２の時間間隔で前記現在位置情報を要求するように前記位置要求部に指示する追跡処理部とを備えることを特徴としている。
【００１６】
請求項６に記載された携帯端末用プログラムは、
監視対象者の行動範囲である登録ルートを記憶する記憶部と、監視対象者が操作する操作部と、現在位置情報を取得する位置取得部と、前記現在位置情報をセンタ装置に通報する通信部とを有し、監視対象者が所持して監視対象者の位置を前記センタ装置に通報する携帯端末に読み込まれる携帯端末用プログラムであって、
前記携帯端末の少なくとも一部を構成するコンピュータを、
前記位置取得部により取得された前記現在位置情報が示す現在位置が前記登録ルート上にあるかを判定するルート判定部と、
所定時間を計時する計時部と、
前記操作部が前記所定時間以上操作されない場合に、第１の時間間隔で前記現在位置情報を前記センタ装置に通報する第１通報処理を実行するように前記通信部に指示し、前記第１通報処理の実行中に取得した前記現在位置が前記登録ルート上にないと前記ルート判定部が判定した場合には、前記第１通報処理を終了し前記第１の時間間隔より短い第２の時間間隔で前記現在位置情報を前記センタ装置に通報する第２通報処理を実行するように前記通信部に指示する異常処理部として機能させることを特徴としている。
【発明の効果】
【００１７】
請求項１に記載された携帯端末及び請求項６に記載された携帯端末用プログラムによれば、携帯端末の操作部が所定時間以上操作されない場合には、これをトリガーとして携帯端末の異常処理部が通信部に指示し、携帯端末の位置取得部が取得した現在位置情報を第１の時間間隔でセンタ装置に通報させる。また、携帯端末の現在位置が、記憶部に予め登録しておいた登録ルート上にないと携帯端末のルート判定部が判定した場合には、異常処理部が通信部に指示し、携帯端末の位置取得部が取得した現在位置情報を第１の時間間隔より短い第２の時間間隔でセンタ装置に通報させる。
【００１８】
従って、例えば携帯端末を所持する監視対象者が何らかの非常事態に陥り、所定時間にわたり携帯端末操作ができなくなった場合には、携帯端末は比較的長い送信間隔でセンタ装置に現在位置情報を送信して携帯端末（従って監視対象者）の現在位置を追跡させる。また、携帯端末を所持する監視対象者が予定ルートを逸脱したときには、比較的短い送信間隔でセンタ装置に現在位置情報を送信して携帯端末（従って監視対象者）の現在位置を追跡させる。
【００１９】
携帯端末が無操作であっても、記憶部に予め登録された監視対象者の行動範囲である登録ルート上に携帯端末の現在位置があれば、細密な時間間隔で携帯端末の位置を追跡する必要性は低いが、逆に携帯端末の現在位置が登録ルートを外れた場合には、携帯端末の以後の所在が予測不能であるため、細密な時間間隔で携帯端末の位置を追跡する必要がある。このように、監視対象者の現状に対応した適切な時間間隔で当該監視対象者の現在位置情報をセンタ装置に通報することにより、監視対象者が非常事態に陥った場合に携帯端末のバッテリの残蓄電量を温存しつつ、監視対象者の所在を確実に追跡することが可能となる。
【００２０】
請求項２に記載された携帯端末によれば、通信部がセンタ装置から安全確認通知を受信した場合には、これをトリガーとして計時部が所定時間の計時を開始し、操作部が所定時間以上操作されない場合には異常処理部が通信部に指示し、第１の時間間隔で現在位置情報をセンタ装置に通報させる。
【００２１】
請求項３に記載された携帯端末によれば、異常処理部が通信部に指示して第１の時間間隔で現在位置情報をセンタ装置に通報しているときに、予め設定しておいた特定の操作入力が操作部から入力されると、通信部による第１の時間間隔での現在位置情報の通報を終了させることができる。すなわち、携帯端末において第１の時間間隔で現在位置情報の通報が開始された後においては、秘密情報である特定の操作入力（例えば通報動作解除コード）を操作部から入力しない限り、現在位置情報の通報を終了させることはできないので、例えば非常事態下にある監視対象者の手から離れた携帯端末が何者かによって操作され、監視対象者の意に反して現在位置情報の通報を停止されてしまう恐れは小さい。
【００２２】
請求項４に記載された携帯端末によれば、異常処理部は、通信部によって第２の時間間隔で現在位置情報をセンタ装置に通報させている場合には、第２の時間間隔より長い第１の時間間隔で現在位置情報をセンタ装置に通報する必要が少ないため、第１の時間間隔で現在位置情報をセンタ装置に通報する処理を禁止する。
【００２３】
請求項５に記載された監視システムによれば、監視システムの一部を構成する携帯端末において、操作部が所定時間以上操作されない場合には、異常処理部が無応答異常と判定して通信部に指示し、無応答異常及び位置取得部が取得した現在位置情報をセンタ装置に通報させる。監視システムの一部を構成するセンタ装置では、無応答異常及び現在位置情報の通報を携帯端末から受信すると、追跡処理部は、携帯端末に対して第１の時間間隔で現在位置情報を要求するように位置要求部に指示する。また、受信した現在位置情報が示す現在位置が登録ルート上にないとルート判定部が判定した場合には、追跡処理部は、携帯端末に対して第１の時間間隔より短い第２の時間間隔で現在位置情報を要求するように位置要求部に指示する。
【００２４】
従って、例えば携帯端末を所持する監視対象者が何らかの非常事態に陥り、所定時間にわたり携帯端末操作ができなくなった場合には、携帯端末は無応答異常及び現在位置情報をセンタ装置に通報する。これを受けたセンタ装置では、携帯端末を所持する監視対象者が予定ルートを逸脱したときには、比較的短い送信間隔でセンタ装置に現在位置情報を送信するように携帯端末に要求し、携帯端末（従って監視対象者）の現在位置を相対的に短い時間間隔で追跡する。また、携帯端末を所持する監視対象者が予定ルート上にあり、かつ無応答異常である場合には、比較的長い送信間隔で現在位置情報を送るように携帯端末に要求し、携帯端末（従って監視対象者）の現在位置を相対的に長い時間間隔で追跡する。
【００２５】
携帯端末が無操作であっても、センタ装置の記憶部に予め登録された監視対象者の登録ルート上に携帯端末の現在位置があれば、細密な時間間隔で携帯端末の位置を追跡する必要性は低いが、逆に携帯端末の現在位置が登録ルートを外れた場合には、携帯端末の以後の所在が予測不能であるため、細密な時間間隔で携帯端末の位置を追跡する必要がある。このように、監視対象者の現状に対応した適切な時間間隔で当該監視対象者の現在位置情報をセンタ装置が携帯端末に要求し、要求された現在位置情報を携帯端末がセンタ装置に送信することにより、監視対象者が非常事態に陥った場合に携帯端末のバッテリの残蓄電量を温存しつつ、監視対象者の所在を確実に追跡することが可能となる。
【図面の簡単な説明】
【００２６】
【図１】第１実施形態の監視システムの構成を示す機能ブロック図である。
【図２】第１実施形態の監視システムの携帯端末における制御手順を示す動作フロー図である。
【図３】第２実施形態の監視システムの構成を示す機能ブロック図である。
【図４】第２実施形態の監視システムのセンタ装置における制御手順を示す動作フロー図である。
【発明を実施するための形態】
【００２７】
１．第１実施形態（図１及び図２）
図１及び図２を参照して第１実施形態の監視システム１と、当該監視システム１の一部である携帯端末２を作動させる携帯端末用プログラムについて説明する。
図１に示すように、本監視システム１は、少なくとも、監視対象者が所持する携帯端末２と、当該携帯端末２と通信するセンタ装置３によって構成されており、監視対象者の位置を監視センタに設置されたセンタ装置３によって確認し、追跡すること、すなわち現在位置を定期的に確認することで最新の所在を把握することを目的としている。監視対象者としては、例えば機器メンテナンス、監視対象エリアにおける警備及び異常対処、さらには物品輸送等のように、予め設定された一定の行動範囲内を移動しながら作業を行なう作業員等を挙げることができ、また監視の目的としては、作業中に作業員に起こりうる非常事態、例えば不審者による不当な干渉、事故や怪我、急病などを遠隔の監視センタから監視する業務を挙げることができる。
【００２８】
次に、本監視システム１の詳細について、本監視システム１の機能ブロック図である図１を参照して説明する。
まず、携帯端末２を説明する。図１に示すように、監視システム１の携帯端末２は、監視対象者の行動範囲である登録ルートが予め記憶された記憶部４を備えている。この記憶部４は、登録ルートの他に、後述する制御部９による制御に必要な各種データやプログラム等を記憶する。その記憶内容は、後述する制御部９の機能により必要に応じて書き込まれ、必要に応じて読み出される。なお、この記憶部４は後述する制御部９の一部分として制御部９に含まれるものとしてもよい。
【００２９】
ここで、登録ルートとは、複数箇所の作業ポイントを所定の順序で結んだ監視対象者となる作業員の移動路となる線状の経路を意味する他、作業員が作業に伴って移動しうる面状の活動領域をも意味している。後者の活動領域としては、当該作業者が担当している地番又は街区や、ある建物の全体又は建物内の特定階若しくは特定区画等を意味している。
【００３０】
図１に示すように、監視システム１の携帯端末２は、監視対象者が操作する操作部５を備えている。この操作部５は、後述する制御手段によって制御され、監視対象者となる作業員が作業時等に必要な情報等を入力するために使用される。
【００３１】
図１に示すように、監視システム１の携帯端末２は、当該携帯端末２の現在位置を示す現在位置情報を取得するため、後述する制御手段によって制御される位置取得部６を備えている。位置取得部６の原理は問わない。位置取得部６は、例えばＧＰＳ、Ｗｉ−Ｆｉ、携帯電話基地局からの電波を利用して、携帯端末２の現在位置に関する現在位置情報を取得することができる。
【００３２】
図１に示すように、監視システム１の携帯端末２は通信部７を備えている。通信部７は、後述する制御手段によって制御されることにより、位置取得部６が取得した現在位置情報をセンタ装置３に通報する。また、通信部７は、センタ装置３から安全確認通知を受信する。なお詳細は後述するが、センタ装置３は携帯端末２に対し安全確認通知を定期的に送信してくる。
【００３３】
図１に示すように、監視システム１の携帯端末２は表示部８を備えている。表示部８は、後述する制御手段によって制御されることにより、監視対象者が携帯端末２を操作する際に必要な情報等を表示し、またセンタ装置３から送られる警告等の各種情報を表示することができる。
【００３４】
図１に示すように、監視システム１の携帯端末２は、マイクロコンピュータ等によって構成される制御部９を備えている。すなわち、本実施形態で説明するような機能を備えた携帯装置用プログラムをマイクロコンピュータ等に読み込むことにより、本監視システム１の携帯端末２の制御部９を構成することができる。本実施形態のような機能を有する携帯端末２は、ハード及びソフト共に専用に開発した装置であってもよいが、例えば必要な機能を備えたスマートフォンのような携帯端末に、必要な機能を備えた携帯装置用アプリケーション（携帯装置用プログラム）を搭載したものでもよい。
【００３５】
図１に示すように、携帯端末２の制御部９は、所定時間を計時する計時部１０を備えている。ここで、所定時間とは、携帯端末２を所持する監視対象者が携帯端末２を操作することができない異常な状況下にあるか否かを定期的に確認するための時間間隔を示している。計時部１０が所定時間を計時する度に、これがトリガーとなり、直前に経過した当該所定時間内に操作部５が操作されていない場合は、監視対象者に異常事態が発生したものとして、以下に説明するように携帯端末２から現在位置情報を発信する。そして、これを受けた後述するセンタ装置３が携帯端末２の追跡を行なう。実施形態では、所定時間は例えば５分としている。
【００３６】
図１に示すように、携帯端末２の制御部９は、位置取得部６により取得された現在位置情報によって示される現在位置が、記憶部４に記憶された登録ルート上にあるか否かを判定するルート判定部１１を備えている。このルート判定部１１は、登録ルートを記憶部４から読み出し、位置取得部６にて取得された現在位置情報と、読み出した登録ルートとを比較し、携帯端末２の現在位置が登録ルート内に含まれるか否かを判定する。
【００３７】
図１に示すように、携帯端末２の制御部９は異常処理部１２を備えている。異常処理部１２は、操作部５が所定時間以上操作されない場合に、第１の時間間隔で現在位置情報をセンタ装置３に通報するように通信部７に指示する。
【００３８】
例えば携帯端末２を所持する監視対象者が何らかの非常事態に陥り、所定時間にわたり携帯端末２の操作ができなくなった場合には、携帯端末２は後述する第２の時間間隔よりも長い第１の時間間隔でセンタ装置３に現在位置情報を送信し、携帯端末２（従って監視対象者）の現在位置を追跡させる。すなわち、携帯端末２が無操作であっても、記憶部４に予め登録された監視対象者の行動範囲である登録ルート上に携帯端末２の現在位置が存在するのであれば、携帯端末２の以後の所在が予測可能であるため、細密な時間間隔で携帯端末２の位置を追跡して電源を消耗させる必要性が低いからである。
【００３９】
また異常処理部１２は、現在位置が登録ルート上にないとルート判定部１１が判定した場合には、第１の時間間隔より短い第２の時間間隔で現在位置情報をセンタ装置３に通報するように前記通信部７に指示する。
【００４０】
このように携帯端末２を所持する監視対象者が予定ルートを逸脱した場合には、比較的短い送信間隔でセンタ装置３に現在位置情報を送信して携帯端末２（従って監視対象者）の現在位置を追跡させる。これは、携帯端末２の現在位置が登録ルートを外れた場合には、携帯端末２の以後の所在が予測不能であるため、細密な時間間隔で携帯端末２の位置を追跡する必要があるからである。
【００４１】
このように、監視対象者の現状に対応した適切な時間間隔を選択して当該監視対象者の現在位置情報をセンタ装置３に通報することにより、監視対象者が非常事態に陥った場合であっても、携帯端末２のバッテリの残蓄電量を温存しつつ、監視対象者の所在を確実に追跡することが可能となる。
【００４２】
また、先の説明では、制御部９の計時部１０が所定時間を計時する度に、当該所定時間内に操作部５が操作されていない場合には、監視対象者に異常事態が発生したものとして、携帯端末２からセンタ装置３に現在位置情報を発信するものとした。しかしながら、センタ装置３から定期的に送信されてくる安全確認通知を携帯端末２が受信してから、所定時間以上操作部５が操作されない場合に、監視対象者に異常事態が発生したものとして、第１の時間間隔で現在位置情報をセンタ装置３に通報するように異常処理部１２が通信部７に指示するものとしてもよい。
【００４３】
また、異常処理部１２は、第１の時間間隔で現在位置情報を通信部７から通報させているときに、予め設定された特定の操作入力が操作部５から入力されると、現在位置情報の通報を終了させる。ここで、特定の操作入力とは、例えば通報動作解除コードであり、秘密に管理される情報である。すなわち、携帯端末２において第１の時間間隔で現在位置情報の通報が開始された後では、このような特定の操作入力を操作部５から入力しない限り、現在位置情報の通報を終了させることはできない。従って、例えば監視対象者が非常事態下にあり、携帯端末２が何者かに奪われて操作され、監視対象者の意に反して現在位置情報の通報を停止されてしまう恐れは小さい。
【００４４】
また、異常処理部１２は、通信部７によって第２の時間間隔で現在位置情報をセンタ装置３に送信している場合には、第２の時間間隔より長い第１の時間間隔で現在位置情報をセンタ装置３に通報する必要がないため、第１の時間間隔で現在位置情報をセンタ装置３に通報する処理を禁止するものとしている。
【００４５】
次に、携帯端末２を所持する監視対象者から離れた位置、すなわち遠隔地に設けられた監視センタ内に設置されているセンタ装置３について説明する。図１に示すように、監視システム１のセンタ装置３は記憶部１５を備えている。この記憶部１５は、後述する制御部１９による制御に必要な各種データやプログラム等を記憶する。その記憶内容は、後述する制御部１９の機能により必要に応じて書き込まれ、必要に応じて読み出される。なお、この記憶部１５は後述する制御部１９の一部分として制御部１９に含まれるものとしてもよい。
【００４６】
図１に示すように、監視システム１のセンタ装置３は、センタ装置３のオペレータ等が操作する操作部１６を備えている。この操作部１６は、後述する制御部１９によって制御され、オペレータが監視対象者の監視作業時等に必要な情報等を入力するために使用される。
【００４７】
図１に示すように、監視システム１のセンタ装置３は表示部１７を備えている。表示部１７は、後述する制御部１９によって制御されることにより、オペレータがセンタ装置３を操作する際に必要な情報等を表示し、また携帯端末２から送られる情報等を表示することができる。オペレータは、表示部１７の表示を確認して非常事態を判断すると、対処員への現場急行指示や警察への通報などを行なう。
【００４８】
図１に示すように、監視システム１のセンタ装置３は通信部１８を備えている。センタ装置３の通信部１８は、後述する制御部１９によって制御されることにより、携帯端末２から送信されてくる現在位置情報を受信することができる。また、センタ装置３の通信部１８は、先述したように、携帯端末２に対し、安全確認通知を定期的に送信することができる。ここで定期的に送信するとは、予め定めた所定時間間隔（例えば３０分ごと）で送信することであってもよいし、携帯端末２の位置取得部６によって取得され、センタ装置３に送信された現在位置が変動したり、又は所定時間にわたり現在位置が変動しない等、何らかのイベントが発生したことをトリガーとして送信することであってもよい。
【００４９】
図１に示すように、監視システム１のセンタ装置３は、マイクロコンピュータ等によって構成される制御部１９を備えている。制御部１９は、前述した記憶部１５と、操作部１６と、表示部１７と、通信部１８を統括的に制御し、携帯端末２と通信を行なうことにより、携帯端末２の位置情報を取得して監視対象者の位置を適切に追跡することができる。
【００５０】
次に、本監視システム１の携帯端末２の制御動作例を図２を参照して説明する。
図２に示す例では、携帯端末２における制御動作は、センタ装置３から定期的に送信されてくる安全確認通知を受信することにより開始される（Ｓ１）。すなわち、携帯端末２の制御部９では、安全確認通知の受信をきっかけとして、計時部１０が所定時間（５分）の計時を開始し（Ｓ２）、所定時間の間に操作部５から操作入力がなければ（Ｓ３、ＮＯ）、所定時間の計時がタイムアップするまで継続される（Ｓ４、ＮＯ）。操作部５からの操作入力がないまま（Ｓ３、ＮＯ）、所定時間の計時が完了した場合には（Ｓ４、ＹＥＳ）、所定時間内に携帯端末２から何等の応答がなく、監視対象者に非常事態が起きた可能性があるものとして、携帯端末２の表示部８に警告を表示し（Ｓ５）、現在位置情報を取得して、携帯端末２の操作が無い状態であることを示す応答なし信号と現在位置情報を通信部７からセンタ装置３に送信する（Ｓ６）。なお、表示部８における警告表示に替えて、振動素子によるバイブレーションで警告を表示してもよい。
【００５１】
なお、図２に示す例では、携帯端末２における制御動作は、センタ装置３から定期的に送信されてくる安全確認通知を受信することにより開始されるものとしたが（Ｓ１）、センタ装置３からの安全確認通知を省略し、携帯端末２において制御部９の計時部１０が所定時間（５分）の計時を繰り返し実行し（Ｓ２）、その都度、所定時間内に操作入力が有るか否かを判断するようにしてもよい。
【００５２】
携帯端末２の制御部９では、記憶部４の登録ルートと取得した現在位置情報をルート判定部１１が比較して携帯端末２が登録ルート上にあるか否かを判断する（Ｓ７）。携帯端末２が登録ルート上にあると判断した場合には（Ｓ７、ＹＥＳ）、携帯端末２の制御部９では計時部１０が第１の時間間隔である３分間の計時を開始する（Ｓ８）。通報動作解除コード等、特定の操作入力が操作部５に入力されたか否かの判断（Ｓ９）が３分間の計時が完了するまで繰り返され（Ｓ１０、ＮＯ）、特定の操作入力があれば（Ｓ９、ＹＥＳ）、現在位置情報を取得して安全確認応答信号と現在位置情報を通信部７からセンタ装置３に送信し（Ｓ１１）、携帯端末２の追跡は終了する（Ｓ１２）。特定の操作入力がないまま（Ｓ９、ＮＯ）、３分間の計時が完了すると（Ｓ１０、ＹＥＳ）、ステップＳ５に戻って携帯端末２の表示部８に警告を表示し、現在位置情報を取得して、携帯端末２の操作が無い状態であることを示す応答なし信号と現在位置情報を通信部７からセンタ装置３に送信し（Ｓ６）、記憶部４の登録ルートと取得した現在位置情報をルート判定部１１が比較して携帯端末２が登録ルート上にあるか否かの判断に戻る（Ｓ７）。
このように、操作入力が所定時間の間ない場合には、第１の時間間隔である３分間隔で現在位置情報が送信され、センタ装置３により現在位置の追跡が行なわれる。
【００５３】
携帯端末２が登録ルート上にないと判断した場合には（Ｓ７、ＮＯ）、ルート逸脱信号と取得した現在位置情報を通信部７からセンタ装置３に送信し（Ｓ１３）、携帯端末２の制御部９では、第２の時間間隔である１分間の計時を計時部１０が開始する（Ｓ１４）。現在位置情報を取得して行なう携帯端末２の現在位置が登録ルート上にあるか否かの判断（Ｓ１５）が、１分間の計時が完了するまで繰り返され（Ｓ１６、ＮＯ）、携帯端末２の現在位置が登録ルート上にあると判断された場合には（Ｓ１５、ＹＥＳ）、計時部１０が第１の時間間隔である３分間の計時を開始する（Ｓ８）。
【００５４】
ルート逸脱に伴い１分間の計時が開始された後（Ｓ１４）、携帯端末２の現在位置が依然として登録ルート上に存在しない状態、すなわち携帯端末２の位置が登録ルートを逸脱している状態が継続している状態（Ｓ１５、ＮＯ）で１分間の計時が完了した場合（Ｓ１６、ＹＥＳ）には、ルート逸脱信号と最新に取得した現在位置情報を通信部７からセンタ装置３に再び送信し（Ｓ１３）、制御部９の計時部１０が第２の時間間隔である１分間の計時を再び開始する（Ｓ１４）。
このように、現在位置が登録ルート外である場合には、第２の時間間隔である１分間隔で現在位置が送信され、センタ装置３により現在位置の追跡が行なわれる。
【００５５】
安全確認通知の受信（Ｓ１）をきっかけとして、計時部１０が所定時間（５分）の計時を開始し（Ｓ２）、所定時間の間に操作部５から操作入力があった場合（Ｓ３、ＹＥＳ）、現在位置情報を取得して安全確認応答信号と現在位置情報を通信部７からセンタ装置３に送信し（Ｓ１７）、記憶部４の登録ルートと取得した現在位置情報を制御部９のルート判定部１１が比較し、携帯端末２が登録ルート上にあるか否かを判断する（Ｓ１８）。携帯端末２が登録ルート上にあると判断した場合（Ｓ１８、ＹＥＳ）には、携帯端末２の追跡を行なわず処理を終了する（Ｓ１２）。携帯端末２が登録ルート上にないと判断した場合（Ｓ１８、ＮＯ）には、ルート逸脱信号と取得した現在位置情報を通信部７からセンタ装置３に送信し（Ｓ１９）、携帯端末２の制御部９では計時部１０が第２の時間間隔である１分間の計時を開始する（Ｓ２０）。現在位置情報を取得して携帯端末２の現在位置が登録ルート上にあるか否かの判断（Ｓ２１）が１分間の計時が完了するまで繰り返され（Ｓ２２、ＮＯ）、登録ルートを逸脱した状態が継続したままで１分間の計時が完了した場合（Ｓ２２、ＹＥＳ）には、ルート逸脱信号と最新に取得した現在位置情報を通信部７からセンタ装置３に送信し（Ｓ１９）、１分間の計時を再び開始する（Ｓ２０）。携帯端末２の現在位置が登録ルート上にあると判断された場合には（Ｓ２１、ＹＥＳ）、携帯端末２の追跡は終了する（Ｓ１２）。
【００５６】
以上説明したように、第１実施形態の監視システム１及び携帯端末用プログラムによれば、携帯端末２の操作部５が所定時間以上操作されない場合には、監視対象者に異常が生じたものと捉え、これをトリガーとして携帯端末２の現在位置情報を第１の時間間隔（３分）でセンタ装置３に通報するので、センタ装置３は携帯端末２（従って監視対象者）の現在位置を比較的長い時間間隔で追跡することができる。また、携帯端末２の現在位置が登録ルートから逸脱したと携帯端末２のルート判定部１１が判定した場合には、現在位置情報をより短い第２の時間間隔でセンタ装置３に通報するので、センタ装置３は携帯端末２（従って監視対象者）の現在位置を比較的短い時間間隔で追跡することができる。このように、監視対象者の状態に対応した適切な時間間隔で当該監視対象者の現在位置情報をセンタ装置３に通報して追跡を行なうので、監視対象者が非常事態に陥った場合に携帯端末２のバッテリの残蓄電量を温存しつつ、監視対象者の所在を確実に追跡することが可能となる。
【００５７】
２．第２実施形態（図３及び図４）
図３及び図４を参照して第２実施形態の監視システム２１について説明する。
図３に示すように、本監視システム２１は、第１実施形態と同様、少なくとも、監視対象者が所持する携帯端末２２と、当該携帯端末２２と通信するセンタ装置２３によって構成されており、監視対象者の位置を監視センタに設置されたセンタ装置２３によって確認し、追跡することを目的としている。監視対象者及び監視の目的も第１実施形態と同様である。
【００５８】
次に、本監視システム２１の詳細について、本監視システム２１の機能ブロック図である図３を参照して説明する。
まず、携帯端末２２を説明する。図３に示すように、監視システム２１の携帯端末２２は、後述する制御部２９による制御に必要な各種データやプログラム等を記憶する記憶部２４を備えている。その記憶内容は、後述する制御部２９の機能により必要に応じて書き込まれ、必要に応じて読み出される。なお、この記憶部２４は後述する制御部２９の一部分として制御部２９に含まれるものとしてもよい。
【００５９】
図３に示すように、監視システム２１の携帯端末２２は、監視対象者が操作する操作部２５を備えている。この操作部２５は、後述する制御手段によって制御され、監視対象者となる作業員が作業時等に必要な情報等を入力するために使用される。
【００６０】
図１に示すように、監視システム２１の携帯端末２２は、当該携帯端末２２の現在位置を示す現在位置情報を取得するため、後述する制御手段によって制御される位置取得部２６を備えている。位置取得部２６の原理は問わない。位置取得部２６は、例えばＧＰＳ、Ｗｉ−Ｆｉ、携帯電話基地局からの電波を利用して、携帯端末２２の現在位置に関する現在位置情報を取得することができる。
【００６１】
図３に示すように、監視システム２１の携帯端末２２は通信部２７を備えている。通信部２７は、後述する制御手段によって制御されることにより、位置取得部２６が取得した現在位置情報をセンタ装置２３に通報する。
【００６２】
図３に示すように、監視システム２１の携帯端末２２は表示部２８を備えている。表示部２８は、後述する制御手段によって制御されることにより、監視対象者が携帯端末２２を操作する際に必要な情報等を表示し、またセンタ装置２３から送られてくる警告等を表示することができる。
【００６３】
図３に示すように、監視システム２１の携帯端末２２は、マイクロコンピュータ等によって構成される制御部２９を備えている。本実施形態のような機能を有する携帯端末２２は、ハード及びソフト共に専用に開発した装置であってもよいが、例えば必要な機能を備えたスマートフォンのような携帯端末に、必要な機能を備えた携帯装置用アプリケーション（携帯装置用プログラム）を搭載したものでもよい。
【００６４】
図３に示すように、携帯端末２２の制御部２９は、所定時間を計時する計時部３０を備えている。ここで、所定時間とは、携帯端末２２を所持する監視対象者が携帯端末２２を操作することができない異常な状況下にあるか否かを定期的に確認するための時間間隔を示している。計時部３０が所定時間を計時する度に、これがトリガーとなり、直前に経過した当該所定時間内に操作部２５が操作されていない場合は、監視対象者に異常事態が発生したものとして、以下に説明するように携帯端末２２から現在位置情報を発信する。そして、これを受けた後述するセンタ装置２３が携帯端末２２の追跡を行なう。実施形態では、所定時間は例えば５分としている。
【００６５】
図３に示すように、携帯端末２２の制御部２９は異常処理部３２を備えている。例えば携帯端末２２を所持する監視対象者が何らかの非常事態に陥り、所定時間にわたり携帯端末２２の操作ができなくなった場合には、異常処理部３２は、操作部２５が所定時間以上操作されない無応答異常と判定し、無応答異常信号と現在位置情報をセンタ装置２３に通報するように通信部２７に指示する。
【００６６】
次に、携帯端末２２を所持する監視対象者から離れた位置、すなわち遠隔地に設けられた監視センタ内に設置されているセンタ装置２３について説明する。図３に示すように、監視システム２１のセンタ装置２３は、監視対象者の行動範囲である登録ルートが予め記憶された記憶部３５を備えている。この記憶部３５は、登録ルートの他に、後述する制御部３９による制御に必要な各種データやプログラム等を記憶する。その記憶内容は、後述する制御部３９の機能により必要に応じて書き込まれ、必要に応じて読み出される。なお、この記憶部３５は後述する制御部３９の一部分として制御部３９に含まれるものとしてもよい。
【００６７】
ここで、登録ルートとは、第１実施形態の携帯端末２の記憶部４に格納された登録ルートと同一である。この記憶部３５は、後述する制御部３９による制御に必要な各種データやプログラム等を記憶し、その記憶内容は、後述する制御部３９の機能により必要に応じて書き込まれ、必要に応じて読み出される。
【００６８】
図３に示すように、監視システム２１のセンタ装置２３は、センタ装置２３のオペレータ等が操作する操作部３６を備えている。この操作部３６は、後述する制御手段によって制御され、オペレータが監視対象者の監視作業時等に必要な情報等を入力するために使用される。
【００６９】
図３に示すように、監視システム２１のセンタ装置２３は表示部３７を備えている。表示部３７は、後述する制御手段によって制御されることにより、オペレータがセンタ装置２３を操作する際に必要な情報等を表示し、また携帯端末２２から送られる情報等を表示することができる。オペレータは、表示部３７の表示を確認して非常事態を判断すると、対処員への現場急行指示や警察への通報などを行なう。
【００７０】
図３に示すように、監視システム２１のセンタ装置２３は通信部３８を備えている。センタ装置２３の通信部３８は、後述する制御手段によって制御されることにより、携帯端末２２から送信されてくる現在位置情報を受信することができる。また、センタ装置２３の通信部３８は、後述する制御部３９の位置要求部の要求に答え、必要な現在位置情報の送信を求める現在位置情報要求信号を携帯端末２２に送信することができる。
【００７１】
図３に示すように、監視システム２１のセンタ装置２３は、マイクロコンピュータ等によって構成される制御部３９を備えている。制御部３９は、ルート判定部３１と、位置要求部４０と、追跡処理部４１を備えており、前述した記憶部３５と、操作部３６と、表示部３７と、通信部３８を統括的に制御し、以下に説明する機能を発揮することにより、携帯端末２２との間で通信を行い、携帯端末２２から必要な現在位置情報を取得し、監視対象者の位置を適切に追跡することができる。
【００７２】
ルート判定部３１は、携帯端末２２により取得された現在位置情報により示される現在位置が登録ルート上にあるか否かを判定する機能を備えている。位置要求部４０は、通信部３８を介して携帯端末２２に現在位置情報の送信を要求する機能を備えている。追跡処理部４１は、携帯端末２２から無応答異常の通報を受信した場合に、携帯端末２２に対して第１の時間間隔で現在位置情報を要求するように位置要求部４０に指示する機能を備えている。また、追跡処理部４１は、携帯端末２２により取得された現在位置情報により示される現在位置が登録ルート上に存在しないとルート判定部３１が判定した場合には、携帯端末２２に対して第１の時間間隔より短い第２の時間間隔で現在位置情報を要求するように位置要求部４０に指示する機能を備えている。
【００７３】
次に、本監視システム２１のセンタ装置２３の制御動作例を図４を参照して説明する。
図４に示す例では、センタ装置２３における制御動作は、携帯端末２２から送信された現在位置情報をセンタ装置２３が受信することにより開始される（Ｓ２１）。現在位置情報が携帯端末２２からセンタ装置２３に送信されてくるのは、第１には、携帯端末２２において制御部２９の異常処理部３２が無応答異常との判定を行い、無応答異常信号をセンタ装置２３に通報してきた場合であり、第２には、センタ装置２３において制御部３９の位置要求部４０が通信部３８を介して携帯端末２２に現在位置情報の送信を求め、携帯端末２２がこれに答えた場合である。
【００７４】
携帯端末２２から送信されてきた現在位置情報をセンタ装置２３の通信部３８が受信すると（Ｓ２１）、センタ装置２３の制御部３９は通信部３８が受信した現在位置情報を記憶部３５に記録する（Ｓ２２）。またこのとき必要に応じて監視対象者の現在位置を表示部３７に表示して、オペレータによって現状が確認される。そして、センタ装置２３の制御部３９では、携帯端末２２の現在位置が登録ルート上にあるか否かをルート判定部３１により判定する（Ｓ２３）。携帯端末２２の現在位置が登録ルート上にあるとルート判定部３１が判定した場合には（Ｓ２３、ＹＥＳ）、携帯端末２２が無応答異常であるか否かについて追跡処理部４１が判断する（Ｓ２４）。この判断は、携帯端末２２からセンタ装置２３に無応答異常信号が送られたか否かに基づいて判断される。
【００７５】
なお、制御部３９には、携帯端末２２からセンタ装置２３に送られた無応答異常信号に基づいてＯＮ／ＯＦＦの状態が設定される無応答フラグが設けられている。ここで、無応答フラグのＯＮ状態とは、無応答異常信号を受信した状態、すなわち携帯端末２２が所定時間にわたり操作部が操作されない無応答の状態であることを示しており、ＯＦＦ状態とは携帯端末２２が無応答の状態ではないことを示している。無応答異常信号を受信するまでの間、無応答フラグは初期状態としてＯＦＦ状態に維持され、無応答異常信号の受信によりＯＮ状態に設定される。そして、予め定められた何らかの解除信号が携帯端末２２からセンタ装置２３に送信された場合に、無応答フラグはＯＮ状態からＯＦＦ状態となるが、解除信号が送信されなければＯＮ状態にある無応答フラグはそのまま状態に維持される。
【００７６】
携帯端末２２が無応答異常ではないと追跡処理部４１が判断した場合（Ｓ２４、ＮＯ）、さらに無応答フラグが現在ＯＮ状態であるか否かが判定され（Ｓ２５）、無応答フラグがＯＦＦである場合（Ｓ２５、ＮＯ）には、現在位置情報の取得による携帯端末２２の追跡は終了する（Ｓ２６）。
【００７７】
無応答異常信号の受信により携帯端末２２が無応答異常であると追跡処理部４１が判断した場合（Ｓ２４、ＹＥＳ）、無応答フラグはＯＮ状態に設定され（Ｓ２７）、センタ装置２３の制御部３９が備える図示しない計時部が第１の時間間隔である３分間の計時を開始する（Ｓ２８）。この３分間の時間がタイムアップするまで計時を継続し（Ｓ２９、ＮＯ）、３分間の計時が完了したところで（Ｓ２９、ＹＥＳ）、追跡処理部４１が位置要求部４０に指示し、これを受けた位置要求部４０が携帯端末２２に現在位置情報を送信するように要求し（Ｓ３０）、現在位置情報の取得による携帯端末２２の追跡が終了する（Ｓ２６）。
【００７８】
センタ装置２３において、通信部３８が受信した現在位置情報が記憶部３５に記録され（Ｓ２２）、携帯端末２２の現在位置が登録ルート上にないとルート判定部３１が判定した場合には（Ｓ２３、ＮＯ）、センタ装置２３の制御部３９が備える図示しない計時部が第２の時間間隔である１分間の計時を開始する（Ｓ３１）。この１分間の時間がタイムアップするまで計時を継続し（Ｓ２９、ＮＯ）、１分間の計時が完了したところで（Ｓ２９、ＹＥＳ）、追跡処理部４１が位置要求部４０に指示し、これを受けた位置要求部４０が携帯端末２２に現在位置情報を送信するように要求し（Ｓ３０）、現在位置情報の取得による携帯端末２２の追跡が終了する（Ｓ２６）。
【００７９】
以上説明したように、本発明の各実施形態によれば、携帯端末が無操作の場合であっても、監視対象者の行動範囲である登録ルート上に携帯端末の現在位置があれば、細密な時間間隔で携帯端末の位置を追跡する必要性は低いので、携帯端末には比較的長い時間間隔で現在位置情報を要求すれば良い。ところが、逆に携帯端末の現在位置が登録ルートを外れた場合には、携帯端末の以後の所在が予測不能であるため、携帯端末には比較的短い時間間隔で現在位置情報を要求し、細密な時間間隔で携帯端末の位置を追跡する必要がある。このように、監視対象者の現状に対応した適切な時間間隔で当該監視対象者の現在位置情報を携帯端末に要求してセンタ装置に送信させることにより、監視対象者が非常事態に陥った場合に携帯端末のバッテリの残蓄電量を温存しつつ、監視対象者の所在を確実に追跡することが可能となる。
【符号の説明】
【００８０】
１，２１…監視システム
２，２２…携帯端末
３，２３…センタ装置
４，１５，２４，３５…記憶部
５，１６，２５，３６…操作部
６，２６…位置取得部
７，１８，２７，３８…通信部
８，２８…表示部
９，１９，２９，３９…制御部
１１，３１…ルート判定部
１２，３２…異常処理部
１７，３７…表示部
４０…位置要求部
４１…追跡処理部
【図１】
0006518433.tif 000002
【図２】
0006518433.tif 000003
【図３】
0006518433.tif 000004
【図４】
0006518433.tif 000005